(57)【要約】【課題】  充填物が美しく見え、製品全体としての外観を高めることのできる容器及びこの容器を使用した製品を提供すること【解決手段】  容器の少なくとも一部が偏光部材で構成されており、当該偏光部材を通して容器内部の液晶が透視可能であることを特徴とする液晶組成物用容器。【選択図】  図１   
2005283705.tif 000002
【特許請求の範囲】
【請求項１】
容器の少なくとも一部が偏光部材で構成されており、当該偏光部材を通して容器内部の液晶が透視可能であることを特徴とする液晶組成物用容器。
【請求項２】
容器が上部に注出口を有する大略円筒形のものであり、その全面又は一部が同一の偏光軸を有する偏光部材で構成されるものである請求項１記載の液晶組成物用容器。
【請求項３】
容器の円筒面全体が、同一の偏光軸を有する偏光部材で構成される請求項２記載の液晶組成物用容器。
【請求項４】
容器の底面に近い部分に、帯状に同一の偏光軸を有する偏光部材を設けた請求項２記載の液晶組成物用容器。
【請求項５】
容器の中央に近い部分に、帯状に同一の偏光軸を有する偏光部材を設けた請求項第２項記載の液晶組成物用容器。
【請求項６】
容器が上部に注出口を有する大略円筒形のものであり、円筒面は縦に複数に分割され、各分割面は、交互に異なる偏光軸の偏光部材で構成される請求項１記載の液晶組成物用容器。
【請求項７】
容器が上部に注出口を有する大略円筒形のものであり、その円筒面の向かい合う位置に、それぞれ異なる偏光軸を有する複数の偏光部材を設けた請求項１記載の液晶組成物用容器。
【請求項８】
容器が上部に注出口を有する大略円筒形のものであり、その上面及び底面の一部又は全部に、それぞれ異なる偏光軸を有する複数の偏光部材を設けた請求項１記載の液晶組成物用容器。
【請求項９】
一方の面の偏光軸と他方の面の偏光軸がほぼ直交する請求項６ないし請求項８の何れかの請求項記載の液晶組成物用容器。
【請求項１０】
容器が上部に注出口を有する大略円筒形のものであり、その円筒面に、同一の偏光軸を有する単一又は複数の偏光部材をラセン状に設けた請求項１記載の液晶組成物用容器。
【請求項１１】
容器が上部に注出口を有する大略円筒形のものであり、その円筒面に、異なる偏光軸を有する複数の偏光部材をラセン状に設けた請求項１記載の液晶組成物用容器。
【請求項１２】
容器が上部に注出口を有する大略四角柱形のものであり、その向かい合う側面に、互いに異なる偏光軸を有する偏光部材を設けた請求項１記載の液晶組成物用容器。
【請求項１３】
容器が上部に注出口を有する大略四角柱形のものであり、その向かい合う側面に、異なる偏光軸を有する偏光部材を市松状に設けた請求項１記載の液晶組成物用容器。
【請求項１４】
容器が上部に注出口を有する大略球形のものであり、その一部又は全部が同一の偏光軸を有する偏光部材で構成されてなる請求項１記載の液晶組成物用容器。
【請求項１５】
偏光部材が、可視光領域で、１／１００以下の消光比を有するものである請求項１ないし請求項１４の何れかの請求項記載の液晶組成物用容器。
【請求項１６】
偏光部材が、容器形成部材の外面に設置された偏光子である請求項１ないし請求項１５の何れかの請求項記載の液晶組成物用容器。
【請求項１７】
請求項１ないし請求項１６の何れかの請求項記載の液晶組成物用容器に、液晶組成物を充填してなる液晶組成物製品。
【請求項１８】
液晶組成物が、透明又は半透明のものである請求項１７記載の液晶組成物製品。
【請求項１９】
液晶組成物が、流動性を有するものである請求項１７又は請求項１８記載の液晶組成物製品。
【請求項２０】
液晶組成物が、少なくともリン脂質を含有するものである請求項１７ないし請求項１９の何れかの請求項記載の液晶組成物製品。
【請求項２１】
液晶組成物が、少なくともリン脂質、多価アルコール及び低級アルコールを含有するものである請求項１７ないし請求項２０の何れかの請求項記載の液晶組成物製品。
【請求項２２】
液晶組成物が、化粧料、玩具又は芳香剤である請求項１７ないし請求項２１の何れかの請求項記載の液晶組成物製品。
【発明の詳細な説明】
【技術分野】
【０００１】
本発明は、液晶を含有する組成物を収容する液晶組成物用容器及びこれを利用する液晶組成物製品に関し、更に詳細には、液晶を含有する化粧料等を内部に入れると、内部に美しい干渉模様が見える液晶組成物用容器及び液晶組成物製品に関する。
【背景技術】
【０００２】
化粧品等の製品においては、単にその機能だけでなく、外観も製品の価値を決める要素の一つであり、外観を高めるための数多くの工夫がなされている。
【０００３】
例えば、全体として美しく見えるようにした化粧料等の容器は、数多く知られているが、いずれも容器外観についての工夫であり、充填物との関係で製品全体を美しく見せるようにしたものは知られていなかった。
【０００４】
一方、容器の素材自体として、偏光材料を使用したものが知られている。例えば、特許文献１には、ポリエチレン層、金属箔及び配光度が一定値以上の延伸樹脂フィルムをこの順に積層した、寸法安定性と易開封性とを有する飲料用袋状容器が開示されている（特許文献１）。しかしながら、この発明は、フィルムの配光度が一定値以上であれば、その方向に切れやすく、容器の開封が容易であるというものであり、そもそも光透過性のない金属箔を使用するものであるから、容器内部に充填されたものとは外観的に無関係である。
【０００５】
また、磁気テープカセットに開けられた透過窓と、そのカセット収容容器の両方に、互いに直行する偏光部材を設けたものも開示されているが（特許文献２）、この発明は、偏光軸が互いに直行しているので、カセット内部には光が入らないためカセット内部を熱から防ぎ、一方、収容容器内部でカセット外部には光が入るので、カセット外部に書かれたタイトル文字等が読めるようにしたものであり、美感という点からは意味のないものである。
【０００６】
【特許文献１】特開昭５６−０８４２５５号公報
【特許文献２】特開平  １−１２４５８４号公報
【発明の開示】
【発明が解決しようとする課題】
【０００７】
本発明はかかる技術背景に鑑みてなされたものであり、その課題は、充填物が美しく見え、製品全体としての美的外観を良くすることのできる容器及びこの容器を使用した製品を提供することにある。
【課題を解決するための手段】
【０００８】
本発明者らは、特に液晶を含有する組成物について、よりその外観価値を高めうる容器について鋭意検討を行った結果、偏光部材を利用した容器を使用し、この偏光部材を通して充填物を見ることによって、充填物に美しい干渉模様がはっきりと現れることを見出し、本発明に至った。
【０００９】
すなわち本発明は、容器の少なくとも一部が偏光部材で構成されており、当該偏光部材を通して容器内部の液晶が透視可能であることを特徴とする、液晶含有組成物用容器を提供するものである。
【００１０】
また本発明は、上記容器に、液晶組成物を充填してなる液晶組成物製品を提供するものである。
【発明の効果】
【００１１】
本発明によれば、内部に液晶組成物を充填した際に、外部から美しい干渉模様が観察できる容器を提供することができる。そして、その充填物が流動性を有する場合には、充填物の流動と共に干渉模様も流動し、より美しい外観を呈することが可能となる。
【発明を実施するための最良の形態】
【００１２】
本明細書において、液晶組成物とは、液晶を含有する組成物を意味し、組成物全体が液晶であるもののみならず、組成物中に液晶が分散又は偏在した状態で含まれる形態のものも含む。また、液晶組成物製品とは、液晶組成物を容器中に充填した製品、例えば、化粧料；洗剤、芳香剤等の日用品；食品；飲料；玩具；クッション、枕等の寝具；コンピューターのマウスパッド等の文具；観賞用製品等を意味する。
【００１３】
本発明の液晶組成物用容器は、容器の少なくとも一部が偏光部材で構成され、そこから中の充填物が観察できることが必要である。本発明における偏光部材とは、そこを光が透過すると偏光となるものならば特に限定はなく、偏光子それ自体、容器形成部材の外面及び／又は内面に設置させた偏光子、容器形成部材で挟んだ偏光子等が挙げられる。この偏光子は、その片面又は両面に保護層が設けられていても良い。また、容器形成部材の外面及び／又は内面に設置された偏光子等は、更にカバーフィルム等で保護されていても良い。
【００１４】
本発明の偏光部材のうち、好ましいものとしては、保護層が設けられた偏光子を容器形成部材の外面に設置したものが挙げられ、特に、両面に保護層が設けられた偏光子を、容器形成部材の外面に設置し、更に要すればその外面をカバーフィルム等で覆った構造を有するものが挙げられる。この偏光部材としては、市販の偏光フィルムを容器形成部材の表面に貼り付けたものも好ましい。本発明に用いられ得る市販の偏光フィルムとしては、ＴＥＣＨ  ＳＰＥＣＴＭ  ＱＵＡＬＩＴＹ（エドモンド・オプティクスジャパン（株）社製）等が挙げられる。特に好ましい偏光部材の調製例としては、剥離ライナー、粘着層、保護層、偏光子、保護層及びカバーフィルムがこの順に積層された偏光フィルムから、剥離ライナーを剥離し、これを容器形成部材の外面に貼り付ける方法が挙げられる。
【００１５】
上記本発明の偏光部材の消光比は、特に限定するものではないが、４００ｎｍ〜７００ｎｍの可視光領域で、１／１００以下であることが好ましい。特に好ましくは、１／１０００以下である。１／１００以下である場合、充填物に液晶が含まれていれば、特に美しい干渉模様を見ることができる。
【００１６】
また偏光部材の偏光度も特に限定はないが、４００ｎｍ〜７００ｎｍの可視光領域で、８０％以上であることが好ましい。特に好ましくは、９５％以上である。８０％以上であれば、収容物の内部に特に美しい干渉模様を見ることができる。
【００１７】
なお、上記偏光部材を調製するために使用する偏光子としては、透過した光を偏光にするものならば特に限定はないが、好ましくはポリマーフィルムを延伸させたものが挙げられる。特に好ましくは、ヨウ素等の分子が含有されたポリビニルアルコール等のポリマーフィルムを延伸させたもの等が挙げられる。
【００１８】
一方、本発明の液晶組成物用容器を形成する容器形成部材としては、光が充分透過するものであれば特に限定はなく、無色であっても着色していてもよいが、好ましくは無色である。また、材質も特に限定はないが、ポリエチレンテレフタレート、ガラス、ポリスチレン、ポリエチレン等が挙げられる。容器形成部材の厚さも、割れたり裂けたりせず収容物が流出しにくいもので、偏光子を良好に保持して偏光部材を形成できる厚さならば特に限定はないが、０．１ｍｍ〜１０ｍｍが好ましい。特に好ましくは、０．２ｍｍ〜２ｍｍである。
【００１９】
本発明における容器の形状も特に限定はなく、その基本的な形状は、三角柱、四角柱（直方体）、五角柱、六角柱等の多角柱形状；円柱、楕円柱等の円筒形状；球体、楕円体等の球形状；正八面体、正十二面体等の多面体形状等が挙げられる。この容器には、注出口（収容物取出口）、キャップ、取っ手等、一般に容器に付随しているものが具備されていてもよい。また容器の形態は、ビン形態でもチューブ形態でもよい。
【００２０】
以下、本発明の液晶組成物用容器について、好ましい実施態様を挙げ説明する。
【００２１】
図１〜図３は、外形がほぼ円筒形で上部に注出口を有する容器について、少なくともその一部が同一の偏光軸を有する偏光部材で構成される態様を示す図面である。図中、１は容器、２は注出口、３及び５は偏光部材、４は容器形成部材を示す。また、平行縞の方向が偏光部材の透過軸方向を示す（以下の図においても同じ）。
【００２２】
図１は、円筒面の全面が同一の偏光軸を有する偏光部材で構成される液晶組成物用容器である。この容器では上面及び底面は、通常の容器形成部材４で構成されている。また、図２は、円筒面の底面に近い部分が、帯状に同一の偏光軸を有する偏光部材で構成された液晶組成物用容器であり、図３は、円筒面の中央に近い部分が、帯状に同一の偏光軸を有する偏光部材で構成された液晶組成物用容器である。これらのいずれの容器においても、同一の偏光軸を有するのであれば、偏光部材の透過軸の方向には特に限定はない。
【００２３】
図４〜図７は、外形がほぼ円筒形で上部に注出口を有する容器について、その円筒面を縦に複数に分割し、その分割面に異なる偏光軸の偏光部材を設けた態様を示す図面である。図中、偏光部材５は、偏光部材３と直交する偏光軸を有する偏光部材を示す。
【００２４】
図４は円筒面を２つに分割し、その分割面のそれぞれを、異なる偏光軸の偏光部材で構成した液晶組成物用容器であり、図５は、円筒面を８つに分割し、その分割面を交互に異なる偏光軸の偏光部材で構成した液晶組成物用容器である。また、図６及び図７は、円筒面の向かい合う位置に、異なる偏光軸を有する偏光部材を設けた液晶組成物用容器である。なお、各図において、２つの偏光部材同士の偏光軸は直交しているが、これに限らず、偏光軸が異なると認識できる程度の差があれば、任意の偏光軸角の差とすることができる。
【００２５】
図８〜図１１は、外形がほぼ円筒形で上部に注出口を有する容器について、その円筒面に、偏光部材をラセン状に設けた態様を示す図面である。
【００２６】
図８は、単一の偏光軸を有する偏光部材を、部分的にラセン状に設けた液晶組成物用容器であり、図９は、単一の偏光軸を有する偏光部材を、円筒面全面に偏光軸がラセン状になるように設けた液晶組成物用容器である。また、図１０は、異なる偏光軸を有する２つの偏光部材を、円筒面全面にそれぞれ順回りにラセン状に設けた液晶組成物用容器であり、図１１は、異なる偏光軸を有する２つの偏光部材を、部分的にそれぞれ逆回りにラセン状に設けた液晶組成物用容器である。
【００２７】
図１２〜１４は、外形がほぼ円筒形で上部に注出口を有する容器について、その上面及び底面の一部又は全部に、それぞれ異なる偏光軸を有する２つの偏光部材を設けた態様を示す図面である。
【００２８】
図１２は、上面（但し注出口を除く）及び底面全面に、それぞれ直交する偏光軸を有する偏光部材を設けた液晶組成物用容器であり、図１３は、上面の一部及び底面の全面に、それぞれ直交する偏光軸を有する偏光部材を設けた液晶組成物用容器であり、図１４は、上面の一部及び底面の一部に、それぞれ直交する偏光軸を有する偏光部材を設けた液晶組成物用容器である。図１２〜図１４では、円筒形の容器について示しているが、楕円柱形や多角柱形の容器についても同様に実施し得る。また、異なる偏光部材同士が直交する偏光軸を有するものとして示されているが、直交するものに限られないことはいうまでもない。
【００２９】
図１５は、上部に注出口を有する大略四角柱形の容器において、その向かい合う側面に、互いに異なる偏光軸を有する偏光部材を設けた態様を示す図面である。
【００３０】
図１６は、上部に注出口を有する大略四角柱形の容器において、その向かい合う側面に、異なる偏光軸を有する偏光部材を市松状に設けた態様を示す図面である。この態様においては、向かい合う２面にのみ、異なる偏光軸を有する偏光部材を市松状に設けているが、全面に設けても、また、一面に設けても良い。更に、容器が円柱状であっても良いことはいうまでもない。
【００３１】
図１７は、上部に注出口を有する大略球形の容器において、その全部が同一の偏光軸を有する偏光部材で構成された態様を示す図面である。この図１７においては、全面が同一の偏光軸を有する偏光部材で構成されているが、これに限られず、部分的に偏光部材で構成しても、また、異なる偏光軸を有する偏光部材と組み合わせて構成してもよい。
【００３２】
図１８は、大略円柱状の容器において、その上面と底面が互いに異なる偏光軸を有する偏光部材で構成された態様を示す図面である。また、異なる偏光部材同士は直交するものに限られないことはいうまでもない。
【００３３】
図１９は、大略正一二面体の容器において、その面が互いに異なる偏光軸を有する偏光部材で構成された態様を示す図面である。また、偏光部材は、全面に設けても一部の面に設けてもよい。
【００３４】
更に、本発明の液晶組成物用容器では、前記のようにして設けた偏光部材の上面又は下面に鋭敏色板を設けることも可能である。また、容器の少なくとも一部にマジックミラーを設けることもできる。
【００３５】
かくして得られる液晶組成物用容器に、液晶組成物を充填すると、見る方向により変化する美しい干渉模様と干渉色を外部から観察することができ、液晶組成物製品の美感面での商品的価値を高めることができる。更に、向かい合う位置に偏光軸が互いに直行する偏光部材を設けた場合（例えば、図４や図９の場合）には、液晶組成物が充填されていない状態では、この２つの偏光部材を両方とも通過する光はほとんどないので、向こう側は見通せない。しかし、内容物として液晶組成物が充填されると、液晶組成物が存在する部分だけが透明又は半透明となって、容器の向こう側が見通せるようになり、また内容物を見ることができる。すなわち、液晶組成物があるところだけが（半）透明となって内容物が見え、液晶組成物の液腺より上の部分は黒く不透明という神秘的な外観の液晶組成物製品を得ることができる。
【００３６】
上記液晶組成物は、液晶を含有するものであれば特に制約はないが、好ましくは、スメクティック液晶、ネマティック液晶等の液晶を含むものが好ましく用いられる。
【００３７】
上記液晶組成物は、透明又は半透明であることが好ましい。色は限定はないが、干渉模様が美しく着色するので、組成物自身の色は無色又は薄色が好ましい。
【００３８】
液晶組成物の流動性の有無は特に限定はないが、流動性があると、液晶組成物が容器内で流動するのに伴って干渉模様も動くので、更に美しい外観を呈するので好ましい。好ましい粘度は、２００００ｍＰａ・ｓ以下、特に好ましくは１００００ｍＰａ・ｓ以下である。
【００３９】
本発明の液晶組成物の化学組成は特に限定されるものではないが、少なくともリン脂質を含有するものが、液晶を形成しやすいので好ましい。特に好ましくは、リン脂質に、更に多価アルコール及び／又は低級アルコールを含有するものであり、更に好ましくは、リン脂質、多価アルコール及び低級アルコールを含有するものである。
【００４０】
上記リン脂質としては特に限定はないが、ホスファチジルコリン、ホスファチジルエタノールアミン等が好ましく、特に好ましくは、ホスファチジルコリンである。多価アルコールも特に限定はないが、グリセリン、エチレングリコール、ペンタエリスリトール、トリメチロールプロパン等が挙げられる。本発明の液晶組成物製品が、化粧料等の生体に適用するものの場合には、多価アルコールとしてグリセリン等が特に好ましい。更に本発明の低級アルコールとしては、炭素数１〜６の一価アルコールが好ましく、具体的には、メタノール、エタノール、プロパノール、ブタノール、ペンタノール、ヘキサノール等が挙げられる。このうち、化粧料等の生体に適用するものに応用する場合には、エタノール等が好ましい。
【００４１】
本発明の液晶を含有する組成物は、上記容器に入れて美しい外観を得るためのみならば液晶としての機能が有りさえすればよいが、更に、液晶組成物製品が、化粧料、洗浄剤等である場合には、それらの機能をも併せ持つ必要がある。この場合、その機能を有している物質自身が液晶である場合であっても、その機能を有している物質と液晶とが別の物質であってもよい。
【００４２】
本発明の液晶組成物製品の好ましい例としては、液晶を含有する化粧料が挙げられ、特に好ましくは、化粧水、美容液等の皮膚用化粧料；シャンプー、リンス、コンディショナー、整髪料、ヘアトニック等の毛髪用化粧料；爪、唇、睫毛等用のメークアップ製品；入浴剤；フレグランス等の化粧料が挙げられる。
【００４３】
本発明の液晶組成物製品が、美しい外観を得ることができる理由は、次のように考えられている。すなわち液晶は、その構造に起因する偏光性（異方性）を有しており、見る方向によって見え方が異なる。一方、本発明の液晶組成物用容器は、その少なくとも一部に設置された偏光部材を通して容器内部の充填物が見える構造を有している。そして、外部から偏光部材を通して容器内部の充填物を見た場合、液晶の偏光性と、偏光部材の偏光軸が一致した場合に、その液晶が明瞭に観察でき、それ以外の場合は、ほとんど見えない状態となる。従って、限られた液晶構造のみが通常の目視と比べ強調された状態で観察されるので、これが美しく感じられるのである。
【実施例】
【００４４】
次に、実施例を挙げて本発明を更に説明するが、本発明はこれら実施例に限定されるものではない。なお、実施例中の「部」は「質量部」を示す。
【００４５】
実 施 例 １
液晶組成物製品の製造：
下記方法により、液晶組成物を製造し、これを無色透明のガラス製容器の外面に、消光比１／５０００の偏光フィルム ＴＥＣＨ  ＳＰＥＣＴＭ  ＱＵＡＬＩＴＹ（エドモンド・オプティクスジャパン（株）社製）を設置した容器に充填し、液晶組成物製品を得た。得られた製品について、その外観を評価した。
【００４６】
＜液晶組成物の調製＞
ヨウ素価が２３である部分水素添加大豆リン脂質３．５部を、グリセリン２０部とエタノール３０部の混合溶媒中に添加分散させ、８０℃に加温して溶解させた。次いでこの溶液中に、８０℃の精製水４６．５部を添加し均一に混合して、ほぼ透明でかつ粘性を有する流動性の液晶組成物を得た。
【００４７】
＜評価＞
得られた液晶組成物製品の背面から太陽光をあてて容器内部を見たところ、内部一面に無数の細かい虹色に着色された美しい干渉模様が観察された。蛍光灯をあてても同様の干渉模様が観察された。また、背面から直接あてずに、太陽光、蛍光灯等の自然光の元で見ても、内部に同様の干渉模様が観察された。更に、容器を動かして内容物を流動させると、内部の虹色に着色された美しい干渉模様が流動し、より美しくなった。
【産業上の利用可能性】
【００４８】
本発明は、収容物の内部に美しい干渉模様が現れる液晶組成物製品や、更に収容物の流動と共に干渉模様も流動し、更に美しい外観を呈する液晶組成物製品を提供することができるので、化粧料等の装飾性を必要とする分野等に好適に用いることができるものである。
【図面の簡単な説明】
【００４９】
【図１】同一の偏光軸を有する偏光部材で構成される本発明液晶組成物用容器の一態様を示す図面であり、（ａ）は正面図で（ｂ）は背面図である。
【図２】同一の偏光軸を有する偏光部材で構成される本発明液晶組成物用容器の一態様を示す図面であり、（ａ）は正面図で（ｂ）は背面図である。
【図３】同一の偏光軸を有する偏光部材で構成される本発明液晶組成物用容器の一態様を示す図面であり、（ａ）は正面図で（ｂ）は背面図である。
【図４】円筒面を縦に複数に分割し、その分割面に異なる偏光軸の偏光部材を設けた本発明液晶組成物用容器の一態様を示す図面であり、（ａ）は正面図で（ｂ）は背面図である。
【図５】円筒面を縦に複数に分割し、その分割面に異なる偏光軸の偏光部材を設けた本発明液晶組成物用容器の一態様を示す図面であり、（ａ）は正面図で（ｂ）は背面図である。
【図６】円筒面を縦に複数に分割し、その分割面に異なる偏光軸の偏光部材を設けた本発明液晶組成物用容器の一態様を示す図面であり、（ａ）は正面図で（ｂ）は背面図である。
【図７】円筒面を縦に複数に分割し、その分割面に異なる偏光軸の偏光部材を設けた本発明液晶組成物用容器の一態様を示す図面であり、（ａ）は正面図で（ｂ）は背面図である。
【図８】円筒面に、偏光部材をラセン状に設けた本発明液晶組成物用容器の一態様を示す図面であり、（ａ）は正面図で（ｂ）は背面図である。
【図９】円筒面に、偏光部材を偏光軸がラセン状になるように設けた本発明液晶組成物用容器の一態様を示す図面であり、（ａ）は正面図で（ｂ）は背面図である。
【図１０】円筒面に、偏光部材をラセン状に設けた本発明液晶組成物用容器の一態様を示す図面であり、（ａ）は正面図で（ｂ）は背面図である。
【図１１】円筒面に、偏光部材をラセン状に設けた本発明液晶組成物用容器の一態様を示す図面であり、（ａ）は正面図で（ｂ）は背面図である。
【図１２】上面及び底面の一部又は全部に、それぞれ異なる偏光軸を有する２つの偏光部材を設けた本発明液晶組成物用容器の一態様を示す図面であり、（ａ）は平面図で、（ｂ）は正面図であり、（ｃ）は底面図である。
【図１３】上面及び底面の一部又は全部に、それぞれ異なる偏光軸を有する２つの偏光部材を設けた本発明液晶組成物用容器の一態様を示す図面であり、（ａ）は平面図で、（ｂ）は正面図であり、（ｃ）は底面図である。
【図１４】上面及び底面の一部又は全部に、それぞれ異なる偏光軸を有する２つの偏光部材を設けた本発明液晶組成物用容器の一態様を示す図面であり、（ａ）は平面図で、（ｂ）は正面図であり、（ｃ）は底面図である。
【図１５】向かい合う側面に、互いに異なる偏光軸を有する偏光部材を設けた本発明液晶組成物用容器の一態様を示す図面であり、（ａ）は正面図で（ｂ）は背面図である。
【図１６】向かい合う側面に、異なる偏光軸を有する偏光部材を市松状に設けた本発明液晶組成物用容器の一態様を示す図面であり、（ａ）は正面図で（ｂ）は背面図である。
【図１７】球形容器の全部が同一の偏光軸を有する偏光部材で構成された本発明液晶組成物用容器の一態様を示す図面であり、（ａ）は平面図で、（ｂ）は正面図であり、（ｃ）は底面図である。
【図１８】容器の上面と底面が異なる偏光軸を有する偏光部材で構成された本発明液晶組成物用容器の一態様を示す図面であり、（ａ）は平面図で、（ｂ）は正面図であり、（ｃ）は底面図である。
【図１９】正多面体の容器の各面が異なる偏光軸を有する偏光部材で構成された本発明液晶組成物用容器の一態様を示す図面である。
【符号の説明】
【００５０】
１ … … 容器
２ … … 注出口
３ … … 偏光部材
４ … … 容器形成部材
５ … … ３と直交する偏光軸を有する偏光部材
以  上
【図１】
2005283705.tif 000003
【図２】
2005283705.tif 000004
【図３】
2005283705.tif 000005
【図４】
2005283705.tif 000006
【図５】
2005283705.tif 000007
【図６】
2005283705.tif 000008
【図７】
2005283705.tif 000009
【図８】
2005283705.tif 000010
【図９】
2005283705.tif 000011
【図１０】
2005283705.tif 000012
【図１１】
2005283705.tif 000013
【図１２】
2005283705.tif 000014
【図１３】
2005283705.tif 000015
【図１４】
2005283705.tif 000016
【図１５】
2005283705.tif 000017
【図１６】
2005283705.tif 000018
【図１７】
2005283705.tif 000019
【図１８】
2005283705.tif 000020
【図１９】
2005283705.tif 000021